(57)【要約】【課題】壁面工事を要することなく店舗等における壁面の所望個所に所望形状の商品棚を取り付けたり、オフィスの壁面に種々の物品あるいは観葉植物等の観賞品を載置自在とし極めて有効に利用することができることは勿論のこと、オフィスのスチール机の脇に事務作業上必要な事務用品あるいは私物等各種物品の載置部材を取付けること等が可能であり、磁性壁面に対し取付け取外し自在でかなりの重量物であっても壁面より落下したりすることなく安定した状態で載置することのできる物品載置体を提供する。【解決手段】表面に滑り止め加工を施した第１の磁石体４を下方に配設し、上方には第１の磁石体よりも強い磁着力を有する第２の磁石体５を配設してなる磁性壁面に対し着脱自在に磁着する壁面板２には、反壁面方向に延出する載置板３を取付け形成し、この載置板上に物品を載置する。【選択図】　　　図１
2004049336.tif 000002
【特許請求の範囲】
【請求項１】
表面に滑り止め加工を施した第１の磁石体を下方に配設し、上方には前記第１の磁石体よりも強い磁着力を有する第２の磁石体を配設してなる磁性壁面に対し着脱自在に磁着する壁面板には、反壁面方向に延出する載置板を取付け形成し、この載置板上に物品を載置することを特徴とする物品載置体。
【請求項２】
第２の磁石体は希土類磁石とすることを特徴とする請求項１記載の物品載置体。
【請求項３】
載置板の上面には滑り止め加工を施してなることを特徴とする請求項１記載の物品載置体。
【請求項４】
第１の磁石体の滑り止め加工は第１の磁石体表面が粘着作用を発揮すべく加工したことを特徴とする請求項１記載の物品載置体。
【請求項５】
第１の磁石体の滑り止め加工は第１の磁石体表面が吸盤作用を発揮すべく加工したことを特徴とする請求項１記載の物品載置体。
【発明の詳細な説明】
【０００１】
【発明の属する技術分野】
本発明は、壁面に美観を添えるべく観葉植物や各種ディスプレイを設置したり、壁面を有効利用したりするための着脱自在な棚のごとき物品載置体に関し、特に磁性壁面に対し容易に磁着させることができ、かつかなりの重量物をも支えることができる物品載置体に関する。
【０００２】
【従来の技術】
従来、店舗等の壁面あるいはオフィスの壁面を有効に利用しようとする発想の下、商品陳列を始めとし、書類、オフィス用品の置き場所としてさらには観葉植物あるいは芸術品、趣味品等を載置するために既存の壁面に棚台を形成すべく、棚部材、引っ掛け金物、釘・ボルト等の壁面取付具の設置工事を行っていた。
【０００３】
例えば、店舗等の陳列棚等にあっては、ある程度の期間を経ては模様替えをするために壁面取付具の取り外し・取り付けが行われるものである。
【０００４】
【発明が解決しようとする課題】
しかしながら、棚部材、引っ掛け金物、釘・ボルト等の壁面取付具の設置工事にあっては、誰でもが簡単に行えるものでなく、専門家に依頼する必要があることから費用も嵩み、かつ壁面の修復も必要であることから工事期間も一定程度必要になっていた。
【０００５】
また、オフィス等にあっては、殺風景な壁面を有効に利用し種々の物品あるいは観賞品を載置すべく棚を形成しようとしてもパーーティション面等に穴を開けたり、接着したりの加工することは簡単には行えることではなかった。さらに、オフィスのスチール机の脇に少しものを載置するスペースが必要な場合には、今までであれば脇机を設置するしか方法はなかった。
【０００６】
そこで、本発明にあっては、上述の壁面工事を要することなく店舗等における壁面の所望個所に所望形状の商品棚を取り付けたり、オフィスの壁面に種々の物品あるいは観葉植物等の観賞品を載置自在とし極めて有効に利用することができることは勿論のこと、オフィスのスチール机の脇に事務作業上必要な事務用品あるいは私物等各種物品の載置部材を取付けること等が可能であり、磁性壁面に対し取付け取外し自在でかなりの重量物であっても壁面より落下したりすることなく安定した状態で載置することのできる物品載置体を提供することを目的とするものである。
【０００７】
【課題を解決するための手段】
前述の目的を達成するため、本発明の物品載置体は、表面に滑り止め加工を施した第１の磁石体を下方に配設し、上方には前記第１の磁石体よりも強い磁着力を有する第２の磁石体を配設してなる磁性壁面に対し着脱自在に磁着する壁面板には、反壁面方向に延出する載置板を取付け形成し、この載置板上に物品を載置することを特徴とするものである。
【０００８】
また、第２の磁石体は希土類磁石とすることを特徴とするものである。
【０００９】
また、載置板の上面には滑り止め加工を施してなることを特徴とするものである。
【００１０】
また、第１の磁石体の滑り止め加工は第１の磁石体表面が粘着作用を発揮すべく加工したことを特徴とするものである。
【００１１】
また、とするものである。
【００１２】
【発明の実施の形態】
図１は、本発明の物品載置体の第１の実施例を示し、図中１は物品載置体であり、２は磁性壁面に対し着脱自在に吸着する合成樹脂製若しくは金属製の壁面板、３は壁面板２の上端から水平方向に一体的に連設される載置板、４は壁面板２の下方部分に配設され表面に粘性や吸盤作用を有する滑り止め加工を施した第１の磁石体、５は壁面板２の上部に配設され第１の磁石体４よりも強い磁着力を有する希土類磁石からなる第２の磁石体、６は壁面板２と載置板３の連設部分に介在して強度補強する筋交いである。
【００１３】
図２は、物品載置体１の使用状態を示しており、スチール・パーティション、スチール・ラック、スチール・ロッカー等の磁性壁面７に対し壁面板２の第１の磁石体４と第２の磁石体５を磁着させ、載置板３上に植木鉢８などの重量物を載置している。この載置板３の上面には、サンドブラスト加工等を施して面粗度を増したり、ゴム系のシートを貼着したりして滑り止め加工を施すことで載置する物品が滑ることがないようにしている。
【００１４】
第１の磁石体４は、合成樹脂材に磁性粉を混入しこれをシート状に形成し少なくとも一方面にＮ極とＳ極を交互に多極着磁した磁石シートの表面に、図３及び図４に示すごとき柔軟で可撓性の吸盤型９を印刷加工して当該表面の摩擦力を増大させたものである。この吸盤型９は、実用新案登録第３０５８９２４号における柔軟な可撓性で微粘着性を有する外堤と空洞室を有する細かな格子形状の吸盤を印刷加工、または吸盤型９を印刷したシートを貼着したものであり、当接面に沿った摩擦力はかなり大きくなるものである。
【００１５】
第２の磁石体５は、サマリウム−コバルト系磁石、ネオジム−鉄−ボロン系磁石、サマリウム−鉄−窒素系磁石等の希土類磁石であり、第１の磁石体４と比較して非常に強力な磁気エネルギーを有するものである。
【００１６】
このような構成からなる本発明の物品載置体１について、これに用いる磁石と載置板３への荷重限界との関係を以下に実測してみた。物品載置体１が吸着する磁性壁面は、通常の表面に塗装されたスチール・ロッカーで、載置板３における壁面板２の基端部の０ｍｍ、基端部から１００ｍｍ、基端部から２００ｍｍの３個所にテンションゲージで下方向の加重を印加して、物品載置体１が磁性壁面から滑ったり剥離したりしたときの荷重（ｋｇｆ）をそれぞれの条件で測定し（磁石体を含む物品載置体１の質量は無視して測定）、その結果を表１に示す。
【００１７】
測定に使用する第１の磁石体４は、片面多極着磁２．７ｍｍピッチで、幅２５ｍｍ、長さ５０ｍｍ、厚さ２．０ｍｍのフェライトマグネットシートの「Ａ５０」、同じく幅２５ｍｍ、長さ１００ｍｍ、厚さ２．０ｍｍのフェライトマグネットシートの「Ａ１００」、幅２５ｍｍ、長さ５０ｍｍ、厚さ２．０ｍｍのフェライトマグネットシートの表面に吸盤シートを接着した「Ａ５０吸盤」、そして幅２５ｍｍ、長さ１００ｍｍ、厚さ２．０ｍｍのフェライトマグネットシートの表面に吸盤シートを接着した「Ａ１００吸盤」の４種（更に、第１の磁石体を設けない場合も加える）とする。
【００１８】
また、測定に使用する第２の磁石体５は、片面多極着磁５．０ｍｍピッチで、幅２５ｍｍ、長さ５０ｍｍ、厚さ２．５ｍｍのサマリウム・鉄・窒素合金押し出し成形マグネットの「Ｂ５０」、同じく幅２５ｍｍ、長さ１００ｍｍ、厚さ２．５ｍｍのサマリウム・鉄・窒素合金押し出し成形マグネットの「Ｂ１００」、そして幅２５ｍｍ、長さ５０ｍｍ、厚さ２．５ｍｍのサマリウム・鉄・窒素合金押し出し成形マグネットの「Ｂ５０」を縦に２枚並設した「Ｂ５０・５０」の３種とする。
【００１９】
【表１】
2004049336.tif 000003
（尚、測定値の内、太字は剥離した荷重、細字は滑りが生じた荷重である。）
【００２０】
このように、強力な磁気エネルギーの希土類磁石の第２の磁石体５だけでの荷重限界は、面積が２倍（Ｂ５０→Ｂ１００）になってもせいぜい３３％増となるだけであるのに対し、磁気エネルギーは小さいものの当接面に沿った摩擦力が大きい吸盤加工を施した第１の磁石体４を加えることにより、あらゆる荷重位置での荷重限度が２〜４倍となることがわかる。すなわち、強力な磁気エネルギーの希土類磁石からなる第２の磁石体５にあっては、磁性壁面に吸着している場合にはこれを剥離する水平方向（反壁面方向）の付勢力に対しては強いものの、吸着したまま滑らせる垂直方向の付勢力には対しては比較的弱いことから、第１の磁石体４が垂直方向の付勢力に抗する摩擦力を発揮することにより、２種の磁石体による相乗的効果で極めて極力な吸着力を実現するものである。この物品載置体１をスチール机の側板に着脱自在に磁着することで、机の脇に簡単に載置スペースを設けることができる。
【００２１】
図５は、本発明の物品載置体の第２の実施例を示し、この物品載置体１０にあっては、第１の磁石体４と第２の磁石体５を備える壁面板１１が前述した第１の実施例と同様であるのに対し、載置板１２は壁面板１１の下端から水平方向に連設している。すなわち、この物品載置体１０にあっては、載置板１２の取付位置が壁面板１１の下端に移動してはいるものの、載置板１２上の荷重は、第２の磁石体５にのみに印加される壁面板１１を剥離する水平方向のモーメントと、第１の磁石体４と第２の磁石体５の双方に加わる垂直方向のモーメントとの合成力となることから、力学的には前述の第１の実施例と全く同一に考えられるものであり、使用形態により適宜に載置板１２の位置を変化させることができるものである。更にいえば、壁面板１１を上下方向に長くしてその上下に第２の磁石体５及び第１の磁石体４を配設することで、壁面板１１を剥離する水平方向のモーメントが小さくなるとともに、垂直方向のモーメントが大きくなることから、強力な磁気エネルギーの第２の磁石体をかなり小さくしても、滑り止め加工を施した第１の磁石体を大きくすることで、重量物を載置する物品載置体としの機能を充分発揮することができるものである（但し、壁面板１１を長くすることによる重量増大の問題は無視している）。
【００２２】
尚、本発明にとって摩擦力を発揮する第１の磁石体と、強力な磁気エネルギーの第２の磁石体の上下位置関係は重要な構成であり、第１の磁石体と第２の磁石体を上下反対に配置した場合には当然ながら上述した効果は発揮し得ない。このことを利用して、磁性壁面に強力に吸着している物品載置体を取り外す場合には、載置板を持ち上げる方向に付勢することで比較的容易に取り外すことができるものである。
すなわち、単に磁石利用の壁面磁着と異なり、かなりの重量物であっても強力な磁着力を発揮すべく工夫がこらされていることから、物品載置体が落下したりすることなく安定した状態で壁面に磁着されるとともに、取外しに際しては強力な力を要さずとも容易に取り外すことができる。
【００２３】
【発明の効果】
以上詳述の如く、本発明の物品載置体によれば、多くの取付け具あるいは棚部材、棚支持部材を要し、しかも壁面の損傷も余儀なくされる大がかりな設置工事を要することなく、所望壁面にかなりの重量の物品であっても安定した状態で載置することができ、しかもその取り外しあるいは位置変更も壁面を傷つけることなく自在であることから、観葉植物や各種芸術品あるいは商品を店舗、オフィス等における壁面に容易に展示あるいは陳列することができることは勿論のこと、事務量の増大に伴い棚を増設する等オフィスの壁面を容易に有効に利用したりすることができ、さらにはスチール机の側板に着脱自在に磁着することでオフィスのスチール机の脇に簡単に載置スペースを設け事務効率のアップを図ることができる等多大の効果を発揮することができる。
【００２４】
また、載置板の上面には滑り止め加工を施すことで、載置板上に重量物を載置した場合でも滑ることなく安全に保持することができる。
【００２５】
また、第１の磁石体の滑り止め加工は第１の磁石体表面が粘着作用を発揮すべく加工することで、第１の磁石体の磁着力がさほど強力でなくとも、物品載置体に加わる垂直方向の力のモーメントを支持して載置板にかなりの重量物が載置されても支えることができる。
【００２６】
また、第１の磁石体の滑り止め加工は第１の磁石体表面が吸盤作用を発揮すべく加工したことで、第１の磁石体の磁着力がさほど強力でなくとも、物品載置体に加わる垂直方向の力のモーメントを支持して載置板にかなりの重量物が載置されても支えることができる。
【図面の簡単な説明】
【図１】本発明の物品載置体の第１の実施例を示す斜視図である。
【図２】本発明の物品載置体の第１の実施例の使用状態を示す説明図である。
【図３】本発明の物品載置体の第１の実施例における吸盤型を示す断面図である。
【図４】本発明の物品載置体の第１の実施例における吸盤型を示す説明図である。
【図５】本発明の物品載置体の第２実施例を示す斜視図である。
【符号の説明】
１　物品載置体
２　壁面板
３　載置板
４　第１の磁石体
５　第２の磁石体
６　筋交い
７　磁性壁面
９　吸盤型
１０　物品載置体
１１　壁面板
１２　載置板
【図１】
2004049336.tif 000004
【図２】
2004049336.tif 000005
【図３】
2004049336.tif 000006
【図４】
2004049336.tif 000007
【図５】
2004049336.tif 000008